(57)【要約】【課題】初心者や高齢者などのユーザでも簡単に洗車条件を設定でき、利便性を向上できる洗車機を提供する。【解決手段】被洗浄車両ＣＡに対して前後方向に移動して被洗浄車両ＣＡを洗浄する洗車機本体１と、固有のＩＤ番号を割り当てられてユーザに供与されるとともにＩＤ番号を送信する送信ボタン５１を有するリモートコントローラ５０と、ＩＤ番号別に予め入力される洗車条件を含む設定項目を記憶するサーバ３０と、リモートコントローラ５０及びサーバ３０と通信可能に形成されるとともにリモートコントローラ５０から受信したＩＤ番号に応じてサーバ３０から読み出した洗車条件を設定する設定部８０と、を備え、設定部８０により設定された洗車条件に基づいて洗車を行う。【選択図】図１
2014180879.tif 000002
【特許請求の範囲】
【請求項１】
被洗浄車両に対して前後方向に移動して被洗浄車両を洗浄する洗車機本体と、
固有のＩＤ番号を割り当てられてユーザに供与されるとともに前記ＩＤ番号を送信する送信ボタンを有するリモートコントローラと、
前記ＩＤ番号別に予め入力される洗車条件を含む設定項目を記憶するサーバと、
前記リモートコントローラ及び前記サーバと通信可能に形成されるとともに前記リモートコントローラから受信した前記ＩＤ番号に応じて前記サーバから読み出した洗車条件を設定する設定部と、を備え、
前記設定部により設定された洗車条件に基づいて洗車を行うことを特徴とする洗車システム。
【請求項２】
前記設定項目が洗車スタッフの呼出の有無を含み、呼出し有りの設定の場合に前記送信ボタンにより前記ＩＤ番号が送信されると、洗車スタッフに通知されることを特徴とする請求項１に記載の洗車システム。
【請求項３】
ユーザにより洗車条件を入力する入力部と、前記入力部の入力画面を表示する表示部とを有して前記洗車機本体に対して離れて設置されるリモートパネルを備え、
前記設定部を前記リモートパネルにより構成して前記サーバから読み出した洗車条件を前記表示部に表示することを特徴とする請求項１又は２に記載の洗車システム。
【請求項４】
ユーザにより洗車条件を入力する入力部と、前記入力部の入力画面を表示する表示部とを有して前記洗車機本体に対して離れて設置される第１、第２リモートパネルを備え、
前記洗車機本体に対して被洗浄車両が進入する第１進入路及び第２進入路を設け、
第１進入路に第１リモートパネルを配するとともに第２進入路に第２リモートパネルを配し、
前記設定部を第２リモートパネルにより構成して前記設定部による設定が行われた際に第２進入路の被洗浄車両を優先して前記洗車機本体に案内することを特徴とする請求項１又は２に記載の洗車システム。
【請求項５】
インターネットを介して前記サーバの前記設定項目を端末装置により入力可能にしたことを特徴とする請求項１〜４のいずれかに記載の洗車システム。
【発明の詳細な説明】
【技術分野】
【０００１】
本発明は、洗車条件の設定を指示するリモートコントローラを備えた洗車システムに関する。
【背景技術】
【０００２】
給油所等に設置される従来の洗車システムは特許文献１に開示される。洗車システムはリモートコントローラ及び洗車機を備えている。洗車機は被洗浄車両に対して相対移動する洗車機本体に、表示部及び受信部を有して洗車条件を設定する設定部が設けられる。
【０００３】
リモートコントローラは携帯電話から成り、電話回線を介して設定部と通信を行う。これにより、表示部に表示された選択項目に付された番号をリモートコントローラから送信して対話形式で洗車条件が設定される。
【０００４】
洗車機本体の上部や側部には回転用モータによって回転する回転ブラシや空気を送出するブロアが設けられる。洗車機本体は設定された洗車条件に基づいて洗浄時に回転ブラシは回転し、被洗浄車両に対して接近及び離隔して摺動する。ブラシによる洗浄が終了するとブロアによって空気を送出して被洗浄車両が乾燥される。
【先行技術文献】
【特許文献】
【０００５】
【特許文献１】特開２００２−７４５０４号公報
【発明の概要】
【発明が解決しようとする課題】
【０００６】
しかしながら、上記従来の洗車システムによると、リモートコントローラによって洗車条件を入力する必要があり、装備品の設定等の設定条件が多くなると、入力操作が煩雑になり時間がかかってしまう。これにより、初心者や高齢者などのユーザが利用し難くなるとともに給油所内で渋滞するという問題があった。
【０００７】
本発明は、初心者や高齢者などのユーザでも簡単に洗車条件を設定でき、給油所内の渋滞を解消し、利便性を向上できる洗車システムを提供することを目的とする。
【課題を解決するための手段】
【０００８】
上記目的を達成するために本発明は、被洗浄車両に対して前後方向に移動して被洗浄車両を洗浄する洗車機本体と、固有のＩＤ番号を割り当てられてユーザに供与されるとともに前記ＩＤ番号を送信する送信ボタンを有するリモートコントローラと、前記ＩＤ番号別に予め入力される洗車条件を含む設定項目を記憶するサーバと、前記リモートコントローラ及び前記サーバと通信可能に形成されるとともに前記リモートコントローラから受信した前記ＩＤ番号に応じて前記サーバから読み出した洗車条件を設定する設定部と、を備え、前記設定部により設定された洗車条件に基づいて洗車を行うことを特徴とする。
【０００９】
また、本発明は上記構成の洗車システムにおいて、前記設定項目が洗車スタッフの呼出の有無を含み、呼出し有りの設定の場合に前記送信ボタンにより前記ＩＤ番号が送信されると、洗車スタッフに通知されることを特徴とする。
【００１０】
また、本発明は上記構成の洗車システムにおいて、ユーザにより洗車条件を入力する入力部と、前記入力部の入力画面を表示する表示部とを有して前記洗車機本体に対して離れて設置されるリモートパネルを備え、前記設定部を前記リモートパネルにより構成して前記サーバから読み出した洗車条件を前記表示部に表示することを特徴とする。
【００１１】
また、本発明は上記構成の洗車システムにおいて、ユーザにより洗車条件を入力する入力部と、前記入力部の入力画面を表示する表示部とを有して前記洗車機本体に対して離れて設置される第１、第２リモートパネルを備え、前記洗車機本体に対して被洗浄車両が進入する第１進入路及び第２進入路を設け、第１進入路に第１リモートパネルを配するとともに第２進入路に第２リモートパネルを配し、前記設定部を第２リモートパネルにより構成して前記設定部による設定が行われた際に第２進入路の被洗浄車両を優先して前記洗車機本体に案内することを特徴とする。
【００１２】
また、本発明は上記構成の洗車システムにおいて、インターネットを介して前記サーバの前記設定項目を端末装置により入力可能にしたことを特徴とする。
【発明の効果】
【００１３】
本発明によると、リモートコントローラにより送信されるＩＤ番号を受信した設定部がＩＤ番号に対応する設定項目をサーバから読み出して洗車条件が設定される。これにより、初心者や高齢者などのユーザでも簡単に洗車条件を短時間で設定でき、給油所内の渋滞を解消し、利便性を向上できる洗車システムを提供できる。
【図面の簡単な説明】
【００１４】
【図１】本発明の第１実施形態の洗車システムを示す全体図
【図２】本発明の第１実施形態の洗車機を示す側面図
【図３】本発明の第１実施形態の洗車機を示す正面図
【図４】本発明の第１実施形態の洗車機のリモートパネルを示す正面図
【図５】本発明の第２実施形態の洗車システムを示す上面図
【発明を実施するための形態】
【００１５】
（第１実施形態）
以下に本発明の実施形態を図面を参照して説明する。図１は本発明の第１実施形態の洗車システム１００を示す全体図である。洗車システム１００は洗車機ＷＡ、サーバ３０、端末装置３１、携帯型受信機４５及びリモートコントローラ５０を有している。
【００１６】
洗車機ＷＡは洗車機本体１、レール２、車両進入検知センサ４６、４７、遮断機４８及びリモートパネル８０を備えている。
【００１７】
サーバ３０はインターネット網３５を介して、リモートパネル８０と通信可能に形成される。サーバ３０にはユーザに割り当てられたＩＤ番号毎にユーザが所望する洗車条件、呼出条件及び支払条件等の設定項目が予め入力して記憶される。
【００１８】
呼出条件は給油所内の洗車スタッフの呼出の有無を設定する。支払条件は洗車料金の支払の条件を設定する。
【００１９】
端末装置３１はインターネット網３５を介して、サーバ３０と通信可能に形成される。端末装置３１によってもサーバ３０で記憶される設定項目を入力することができる。これにより、ユーザによって呼出条件や支払条件等の設定項目を変更することができる。
【００２０】
携帯型受信機４５は腕時計型に形成され、給油所内の洗車スタッフが利用する。携帯型受信機４５は振動、音声及び表示によって報知する報知部（不図示）を有し、後述するリモートパネル（設定部）８０と通信可能に形成される。
【００２１】
リモートコントローラ５０はサーバ３０から固有のＩＤ番号を割り当てられるとともに、ユーザに供与される。リモートコントローラ５０には送信ボタン５１及びスピーカ５２が設けられている。送信ボタン５１の操作により、固有のＩＤ番号をリモートパネル８０へ送信する。スピーカ５２からは音声が出力される。
【００２２】
図２、図３は洗車機本体１を示す側面図及び正面図である。洗車機本体１は左右の対向する２つのスタンド部９０と、スタンド部９０の上端を連結する天井部９１とを有して門型に形成される。
【００２３】
レール２は地面Ｇに左右一対設けられ、洗車機本体１の底面に設けた車輪３がレール２上に配される。これにより、洗車機本体１はレール２上に立設し、走行モータ（不図示）の駆動によりレール２上を走行して被洗浄車両ＣＡに対して前後に相対移動する。
【００２４】
車両進入検知センサ４６、４７は光電センサ等から成り、進入路上に並設されて被洗浄車両ＣＡを検知する。遮断機４８は洗車機本体１と車両進入検知センサ４７との間に立設し、洗車が行われる時以外は被洗浄車両ＣＡの進入を遮断する。
【００２５】
洗車機本体１には被洗浄車両ＣＡ上に摺動してブラッシングする複数の回転ブラシが設けられる。回転ブラシはそれぞれ回転モータ（不図示）によって回転し、トップブラシ４、サイドブラシ５及びロッカーブラシ６を有している。トップブラシ４被洗浄車両ＣＡの上面に沿って移動し、被洗浄車両ＣＡの上面を洗浄する。サイドブラシ５及びロッカーブラシ６は被洗浄車両ＣＡの両側面を洗浄する。
【００２６】
洗車機本体１の側方には洗剤やワックス等の各種液剤を貯液した複数の貯液タンク（不図示）を収納するタンク収納部１５０が配される。タンク収納部１５０の上方には市水及び各貯液タンクからの液剤を分配する分配配管部１５１が設けられる。分配配管部１５１には第１、第２浄水ノズル１１、１３、第１、第２洗剤ノズル１２、１５、撥水コートノズル１４、ワックスノズル１６がそれぞれ電磁弁を介して導出される。
【００２７】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対してシャンプーなどの洗浄液を噴射する。撥水コートノズル１４及びワックスノズル１６は洗車機本体１の後面に配される。撥水コートノズル１４は被洗浄車両ＣＡに対して撥水コート剤の液剤を噴射する。ワックスノズル１６は被洗浄車両ＣＡに対してワックスを噴射する。
【００２８】
また、洗車機本体１には気流を発生して被洗浄車両ＣＡを乾燥させるブロア２０が設けられる。ブロア２０にはトップ送風ノズル２１及びサイド送風ノズル２２が接続される。トップ送風ノズル２１は洗車機本体１の中央上部に設けられ、被洗浄車両ＣＡの天井面に向けて送風する。サイド送風ノズル２２は洗車機本体１の両側部に設けられ、被洗浄車両ＣＡの側面に向けて送風する。トップ送風ノズル２１及びサイド送風ノズル２２の送風によって洗浄後の被洗浄車両ＣＡを乾燥させる。
【００２９】
洗車機本体１の前面上部、側部には車両形状センサ８、９が設けられている。車両形状センサ８、９は光電センサや超音波センサ等から成り、洗車機本体１に進入する被洗浄車両ＣＡの外面形状を検知する。これにより、各回転ブラシの初期位置や洗車機本体１の走行範囲が決められる。
【００３０】
洗車機本体１の一方のスタンド部９０の前面には操作パネル７が配される。操作パネル７は洗車条件を設定する操作ボタン（不図示）を備え、被洗浄車両ＣＡから降車したユーザ等の操作により洗車の受け付けや洗車条件の設定を行う。
【００３１】
リモートパネル８０は洗車機本体１の進入路に沿って車両進入検知センサ４６、４７の間に立設される。図４はリモートパネル８０を示す正面図である。リモートパネル８０は支柱７０及びパネル本体７１を備えている。支柱７０は上下方向に延びて形成され、パネル本体７１は支柱４２の上端に設けられている。
【００３２】
パネル本体７１の上面にはアンテナ７２が設けられ、正面側にはコイン投入口７３、紙幣投入口７４、カード投入口７５、返却口７９、スピーカ８１及び表示部８２が設けられている。
【００３３】
アンテナ７２は洗車機本体１及びリモートコントローラ５０と通信を行う。コイン投入口７３、紙幣投入口７４、カード投入口７５は洗車料金を支払うために用いられ、コイン投入口７３からコインが投入され、紙幣投入口７４から紙幣が投入され、カード投入口７５からプリペイドカードなどが投入される。返却口７９からは所定の操作によりつり銭が返却される。
【００３４】
スピーカ８１は紙幣投入口７４の下方に設けられ、音声が出力される。表示部８２は前面にタッチパネルを配した液晶パネル等により形成される。表示部８２にはシャンプーを用いて洗車を行うボタン、ワックス掛けを行うボタン、撥水コートを行うボタン、乾燥を行うボタン、装備品を設定する各種設定するボタン等（いずれも不図示）が表示される。これらのボタン操作により洗車設定が可能である。また、洗車をスタートするスタートボタン８２ａ、再度設定を行う再設定ボタン８２ｂが設けられている。
【００３５】
上記構成の洗車機ＷＡにおいて、高齢者や初心者などのユーザは予めリモートコントローラ５０が供与される。リモートコントローラ５０には固有のＩＤ番号が割り当てられ、固有のＩＤ番号にはユーザ所望の洗車条件が予め関連付けられている。
【００３６】
リモートコントローラ５０はＩＤ番号を登録したユーザが所有して持ち帰るようにしてもよく、洗車場に来場したユーザに対してＩＤ番号を書き換えたリモートコントローラ５０を貸し出して洗車後に返却させてもよい。
【００３７】
リモートコントローラ５０が供与されたユーザが運転し、車両進入検知センサ４６の面前に被洗浄車両ＣＡが配されると、車両進入検知センサ４６が被洗浄車両ＣＡを検知する。この時、スピーカ５２から「お客様の車を検知しましたので、お手持ちのリモートコントローラのボタンを押せば自動で洗車設定がセットされます」と案内される。
【００３８】
ユーザがリモートコントローラ５０の送信ボタン５１を操作することにより、固有のＩＤ番号がリモートパネル８０に送信される。ＩＤ番号を受信したリモートパネル８０はＩＤ番号をサーバ３０へ送信すると、サーバ３０からＩＤ番号別に予め入力された洗車条件を受信する。この時、洗車スタッフの呼出の有の設定の場合に、携帯型受信機４５にユーザから呼出があったことが報知される。
【００３９】
リモートパネル８０は受信した洗車条件を表示部８２に表示し、スピーカ８１から「お客様の洗車はこのように行いますがよろしいでしょうか」と案内する。この時、ユーザは表示部８２を操作して洗車条件を修正してもよい。
【００４０】
その後、再度送信ボタン５１を操作することにより、洗車条件が決定される。これにより、ユーザはリモートパネル８０に接触して操作しなくても、被洗浄車両ＣＡ内から簡単かつ短時間に洗車条件を設定できる。また、洗車スタッフを呼び出した場合は被洗浄車両ＣＡのワイパー（不図示）のガムテープ補強等の装備品の安全設定を行ってもらうことができ、より安全に洗車を行うことができる。これにより、車いす等で運転するユーザは被洗浄車両ＣＡから降りることなく、装備品の安全設定をすることができる。
【００４１】
リモートパネル８０は洗車条件が決定されと、「遮断機の前まで被洗浄車両ＣＡが前進して下さい」とスピーカ８１により案内する。車両進入検知センサ４７が被洗浄車両ＣＡを検知すると、遮断機４８のバー（不図示）が上昇し、洗浄開始される洗浄開始位置まで被洗浄車両ＣＡが前進する。１度釦を押して確認後、被洗浄車両ＣＡを車両進入検知センサ４７で検出される位置まで前進させると、遮断機４８が開いて確認した内容で洗車が開始する。洗車スタッフの呼出は予め設定されてなく、２度目に釦を押すと洗車スタッフを呼び出すことができる。
【００４２】
その後、洗車機本体１が設定された洗車条件に基づいて前後方向に移動して洗浄を開始する。この時、複数の回転ブラシは被洗浄車両ＣＡ上に摺動してブラッシングして洗浄を行う。その後、洗車機本体１の進行方向を反転して乾燥が行われる。この時、ブロア２０から気流が発生して被洗浄車両ＣＡの乾燥が行われる。
【００４３】
本実施形態によると、リモートコントローラ５０により送信されるＩＤ番号を受信したリモートパネル８０（設定部）がＩＤ番号に対応する設定項目をサーバ３０から読み出して洗車条件が設定される。これにより、初心者や高齢者などのユーザでも簡単に洗車条件を短時間で設定でき、給油所内の渋滞を解消し、利便性を向上できる洗車システム１００を提供できる。
【００４４】
また、設定項目が洗車スタッフの呼出の有無を含み、呼出し有りの設定の場合に送信ボタン５１によりＩＤ番号が送信されると、洗車スタッフに通知されるため、装備品の安全設定や洗車までの誘導を洗車スタッフに行ってもらうことで、障碍者や高齢者などのユーザでも安心して洗車できる。
【００４５】
また、サーバ３０から読み出した洗車条件をリモートパネル８０の表示部８２に表示するため、洗車条件を容易に確認することができる。
【００４６】
（第２実施形態）
図５は第２実施形態の洗車機ＷＡを示す上面図である。説明の便宜上、前述の図１〜４を示す第１実施形態と同様の部分には同一の符号を付している。本実施形態では複数の進入路が設けられ、その他の部分は第１実施形態と同様である。
【００４７】
進入路（第１進入路）Ｒ１にはリモートパネル（第１リモートパネル）１８０が立設し、図中下方の進入路（第２進入路）Ｒ２にはリモートパネル（第２リモートパネル）８０が立設している。進入路Ｒ１は一般のユーザが使用し、進入路Ｒ２は高齢者などリモートコントローラ５０を有するユーザが使用する。
【００４８】
洗車条件を設定する設定部はリモートパネル８０により構成され、リモートパネル８０はサーバ３０及びリモートコントローラ５０（図１参照）と通信可能に形成される。リモートパネル１８０はリモートパネル８０と同様に構成されているが、アンテナ７２が省かれている。なお、アンテナ７２を有してもよい。
【００４９】
上記構成の洗車機ＷＡにおいて、被洗浄車両ＣＡ１のユーザはリモートパネル１８０に接触して設定する。被洗浄車両ＣＡ３のユーザはリモートコントローラ５０を用いてリモートパネル８０により洗車条件を設定する。この時、同じ時に洗車条件が設定されると、洗車機ＷＡは進入路Ｒ２の被洗浄車両ＣＡ３を被洗浄車両ＣＡ１よりも優先して洗車機本体１に案内する。これにより、高齢者などのユーザは優先して洗車を行うことができる。
【００５０】
案内された被洗浄車両ＣＡ３は予め設定された洗車条件で洗車機本体１により洗車が行わる。その後、被洗浄車両ＣＡ１が洗車機本体１に案内されて被洗浄車両ＣＡ１の洗車が開始され、順に被洗浄車両ＣＡ２の洗車が開始される。
【００５１】
本実施形態によると、設定部を構成するリモートパネル８０による設定が行われた際に進入路Ｒ２の被洗浄車両ＣＡ３を優先して洗車機本体１に案内するため、リモートコントローラ５０を利用する高齢者などのユーザは優先して洗車を行うことができる。
【００５２】
第１、第２実施形態において、サーバ３０及びリモートコントローラ５０と通信して洗車条件を設定する設定部がリモートパネル８０により構成されるが、洗車機本体１に設けた操作パネル７により設定部を構成してもよい。
【産業上の利用可能性】
【００５３】
本発明によると、洗車条件の設定を指示するリモートコントローラを備えた洗車システムに利用することができる。
【符号の説明】
【００５４】
１    洗車機本体
２    レール
３    車輪
４    トップブラシ
５    サイドブラシ
６    ロッカーブラシ
７    操作パネル
３０    サーバ
３１    端末装置
３５    インターネット網
４５    携帯型受信機
４６    車両進入検知センサ
４７    車両進入検知センサ
４８    遮断機
５０    リモートコントローラ
５１    送信ボタン
５２    スピーカ
７０    支柱
７１    パネル本体
７３    コイン投入口
７４    紙幣投入口
７５    カード投入口
８０    リモートパネル
８２    表示部
８２ａ  スタートボタン
８２ｂ  再設定ボタン
９０    スタンド部
９１    天井部
１００  洗車システム
１８０  リモートパネル
ＷＡ    洗車機
ＣＡ    被洗浄車両
【図１】
2014180879.tif 000003
【図２】
2014180879.tif 000004
【図３】
2014180879.tif 000005
【図４】
2014180879.tif 000006
【図５】
2014180879.tif 000007